(57)【要約】【課題】複数のレンズを固着するための十分な固着力を有し、また、組み立てリードタイムを短くすることが可能なレンズ鏡枠を提供する。【解決手段】レンズ鏡枠を構成する第三群枠８は、その内部の前方側に第二のレンズ９と、後方側に第一のレンズ１０とが固着されるが、レンズ１０は、第三群枠８に挿入し、被写体光射出側の底面部８ｃに突き当て状態で挿入し、レンズ１０との第三群枠８の嵌合部８ｂの隙間に接着剤１１が注入される。続いて、レンズ１０の前面側に第二のレンズであるレンズ９を挿入し、後端部をレンズ１０の前面周辺に当接させ、その当接状態で第三群枠８のかしめ部８ａを熱かしめにより内側に折り曲げてレンズ９が第三群枠８内に固定される。したがって、各レンズが独立して固定され、十分な保持力が得られ、また、接着剤の固形化を待つ必要がなく、組み立てリードタイムが減らせる。【選択図】図２
2008065261.tif 000002
【特許請求の範囲】
【請求項１】
第一のレンズと、
第二のレンズと、
上記第一のレンズが組み込まれ、上記第一のレンズが接着により保持され、上記第二のレンズが上記第一のレンズに接して組み込まれ、上記第二のレンズがかしめられて固定されるレンズ枠部材と、
を有することを特徴とするレンズ鏡枠。
【請求項２】
第一のレンズと、
第二のレンズと、
上記第一のレンズが組み込まれ、上記第一のレンズがかしめられて保持され、上記第二のレンズが上記第一のレンズに接して組み込まれ、上記第二のレンズが接着されて固定されるレンズ枠部材と、
を有することを特徴とするレンズ鏡枠。
【発明の詳細な説明】
【背景技術】
【０００１】
従来、複数のレンズを有するレンズ鏡枠においては、通常、各レンズは鏡枠部材に対してかしめ、あるいは、接着のいずれかの方法で固着されていた。
【発明の開示】
【発明が解決しようとする課題】
【０００２】
しかしながら、上述したかしめ、あるいは、接着のいずれか一方によって複数のレンズ固着方法を採用した従来のレンズ鏡枠では、それぞれ強度、または、生産工程上の問題があった。例えば、かしめにより複数のレンズを固着した場合、一箇所のかしめで複数のレンズを固定するので十分な固着力が得られず、レンズ鏡枠に衝撃が作用した場合、レンズが外れてしまう危険性があった。一方、複数のレンズを接着により固着した場合、十分な固着力は得られるが、組み立て中に接着剤を硬化させるための待ち時間を必要とする。例えば、１つ目のレンズの接着硬化後、２つ目のレンズを接着する必要があり、組み立てリードタイムが増える。
【０００３】
本発明は、上述の問題を解決するためになされたものであり、複数のレンズを固着するための十分な固着力を有し、また、組み立てリードタイムを短くすることが可能なレンズ鏡枠を提供することを目的とする。
【課題を解決するための手段】
【０００４】
本発明の請求項１に記載のレンズ鏡枠は、第一のレンズと、第二のレンズと、上記第一のレンズが組み込まれ、上記第一のレンズが接着により保持され、上記第二のレンズが上記第一のレンズに接して組み込まれ、上記第二のレンズがかしめられて固定されるレンズ枠部材とを有する。
【０００５】
本発明の請求項２に記載のレンズ鏡枠は、第一のレンズと、第二のレンズと、上記第一のレンズが組み込まれ、上記第一のレンズがかしめられて保持され、上記第二のレンズが上記第一のレンズに接して組み込まれ、上記第二のレンズが接着されて固定されるレンズ枠部材とを有する。
【発明の効果】
【０００６】
本発明によれば、複数のレンズを固着するための十分な固着力を有し、また、組み立てリードタイムを短くすることが可能なレンズ鏡枠が得られる。
【発明を実施するための最良の形態】
【０００７】
以下、図を用いて本発明の実施形態について説明する。  
図１は、本発明の第一の実施形態のレンズ鏡枠を有する鏡筒部の斜視図である。図２は、上記レンズ鏡枠の断面図である。
【０００８】
本実施形態のレンズ鏡枠を有する鏡筒部は、図１に示すように、第一群枠１と、レンズ鏡枠を構成する進退可能な第二群枠５および第三群枠８と、第四群枠２と、上記第二，三，四群枠を支持するガイド軸３，４とを有している。この鏡筒部は、ガイド軸３，４および第一群枠１を介して箱型の固定枠に組み付けられる。また、該固定枠は、カメラ本体（図示せず）内に組み込まれる。
【０００９】
第一群枠１は、第一群レンズおよび屈折ミラーを内蔵しており、上記屈折ミラーによって光軸Ｏ1 に沿った被写体光を光軸Ｏ2 に向けて９０°屈折させ、第二群枠５のレンズ６側に射出させる。第四群枠２は、レンズ枠部材であって、第四群レンズ１６を保持しており、鏡筒部下方のＣＣＤユニット（図示せず）側に配される。
【００１０】
第二群枠５は、樹脂製筒状のレンズ枠部材であって、第二群レンズである２枚のレンズ６，７とを保持している。第三群枠８も樹脂製筒状のレンズ枠部材であって、第三群レンズである２枚のレンズ９，１０とを保持している。
【００１１】
レンズ６，７とレンズ９，１０および第四群レンズ１６は、光軸Ｏ2 に沿って配されている。
【００１２】
ここで、レンズ９，１０を第三群枠８に固定する固着構造について、図２を用いて説明する。なお、レンズ６，７の第二群枠５への固着構造も第三群枠８と同様な固着構造を適用できる。
【００１３】
まず、第一のレンズであるレンズ１０を第三群枠８の射出側底面部８ｃに突き当て状態で挿入する。レンズ１０との第三群枠８の嵌合部８ｂの隙間に接着剤１１を注入する。
【００１４】
続いて、レンズ１０の前面側に第二レンズであるレンズ９を挿入し、後端部をレンズ１０の前面周辺に当接させる。その当接状態で第三群枠８の前端内周周辺に設けられるかしめ部８ａを熱かしめにより内側に折り曲げてレンズ９を第三群枠８内に固定する。なお、上記接着剤の注入は、上記かしめ後に行ってもよい。また、レンズ枠部材が金属製である場合、上記熱かしめに代えて機械かしめを行うものとする。
【００１５】
上述したように本実施形態のレンズ鏡枠においては、上記かしめ部８ａのかしめによりレンズ９を介してレンズ１０も一体的に固定（接着剤硬化前）されることから接着剤１１の完全固形化を待つことなく、第三群枠８は、次の組み立て工程に送ることができる。したがって、組み立てのリードタイムの短縮化が図れる。
【００１６】
また、第三群枠８にて２つのレンズそれぞれが個別に固定されている。すなわち、一方のレンズ１０は、接着剤により強固に固定保持され、他方のレンズ９は、かしめ部８ａにより固着保持されている。したがって、レンズ鏡枠が衝撃力を受け、レンズ９，１０にそれぞれ力が作用したとしても該各レンズが第三群枠８から脱落する等の事故が防止できる。
【００１７】
なお、本実施形態においてレンズ枠部材に固着される２つのレンズは、単レンズであったが、これに限らず、それぞれが複数のレンズからなる複合レンズであっても同様の固着構造を適用することができる。
【００１８】
さらに、レンズ枠部材に固着される複数のレンズは２枚であったが、これに限らず、３枚以上の単レンズ、または、３つ以上の複合レンズであってもよい。この場合、それぞれの単レンズ、または、複合レンズの少なくとも１つが接着により枠部材に固定され、他は、それぞれ独立的にかしめにより固定される固着構造を適用する。また、それぞれの単レンズ、または、複合レンズをそれぞれ独立的にかしめのみによって固定する固着構造を適用してもよい。
【００１９】
次に本発明の第二の実施形態のレンズ鏡枠について、図３の該レンズ鏡枠の断面図を用いて説明する。
【００２０】
本実施形態のレンズ鏡枠が適用される鏡筒部は、第一の実施形態の鏡筒部と同様の構成を有しており、レンズ鏡枠のレンズ固着構造のみが異なっている。
【００２１】
本実施形態のレンズ鏡枠において、レンズ枠部材である第三群枠１２には、第三群レンズを構成する複数のレンズであって、第一のレンズであるレンズ１４と第二のレンズであるレンズ１３が保持されている。
【００２２】
それらのレンズを固定する固着構造について説明すると、図３に示すように、まず、第一のレンズであるレンズ１４を第三群枠１２の射出側底面部１２ｃに突き当て状態で挿入する。第三群枠１２の中間内周周辺に設けられるかしめ部１２ａを熱かしめにより内側に折り曲げてレンズ１４を第三群枠１２に固定する。
【００２３】
続いて、レンズ１４の前面側にレンズ１３を挿入し、後端部をレンズ１４の前面周辺に当接させる。その当接状態でレンズ１３との第三群枠１２の嵌合部１２ｂの隙間に接着剤１５を注入する。接着剤の固形化を待って第三群枠１２を次の組み立て工程に送る。
【００２４】
上述したように本実施形態のレンズ鏡枠においては、第三群枠１２に２つのレンズそれぞれが個別に固定されている。すなわち、一方のレンズ１４は、かしめ部８ａにより固着保持され、他方のレンズ１３は、接着剤により強固に固定保持されている。したがって、レンズ鏡枠が衝撃力を受け、レンズ１３，１４にそれぞれ力が作用したとしても該各レンズが第三群枠１２から脱落する等の事故が防止できる。
【００２５】
なお、本実施形態においてもレンズ枠部材に固着される２つのレンズは、単レンズであったが、これに限らず、それぞれが複数のレンズからなる複合レンズであっても同様の固着構造を適用することができる。
【００２６】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００２７】
本発明によるレンズ鏡枠は、複数のレンズを固着するための十分な固着力を有し、また、組み立てリードタイムを短くすることが可能なレンズ鏡枠として利用可能である。
【図面の簡単な説明】
【００２８】
【図１】本発明の第一の実施形態のレンズ鏡枠を有する鏡筒部の斜視図である。
【図２】図１のレンズ鏡枠を構成する第三群枠の断面図である。
【図３】本発明の第二の実施形態のレンズ鏡枠を構成する第三群枠の断面図である。
【符号の説明】
【００２９】
８，１２
…第三群枠（レンズ枠部材）
９，１３
…レンズ（第二のレンズ）
１０，１４
…レンズ（第一のレンズ）
【図１】
2008065261.tif 000003
【図２】
2008065261.tif 000004
【図３】
2008065261.tif 000005
【手続補正書】
【提出日】平成18年9月19日(2006.9.19)
【手続補正２】
【補正対象書類名】明細書
【補正対象項目名】０００１
【補正方法】変更
【補正の内容】
【０００１】
本発明の技術分野は、レンズ鏡枠の構造に関する。
従来、複数のレンズを有するレンズ鏡枠においては、通常、各レンズは鏡枠部材に対してかしめ、あるいは、接着のいずれかの方法で固着されていた。